(57)【要約】【課題】過去番組についてもユーザが希望する時間帯でのザッピング再生を可能にする。【解決手段】  実施形態によれば、デジタル放送受信装置は、受信部と、受信部によって選局された番組を記録媒体に記録すると共に再生する記録再生部と、記録再生部によって再生されている番組と同一時間帯に放送された番組であって新たに指定されたチャンネルの番組を記録媒体から選択して再生すると共に、記録媒体に同一時間帯に放送された番組が存在しない場合にはダミー画像を再生し、ダミー画像の再生中に次のチャンネル指定が発生すると、ダミー画像の再生前に再生されていた番組の放送時間帯と同一時間帯に放送された番組であって指定されたチャンネルの番組を記録媒体から選択して再生するザッピング再生制御部とを具備する。【選択図】図１
2015126284.tif 000002
【特許請求の範囲】
【請求項１】
デジタル放送から複数のチャンネルの番組を同時に選局する受信部と、
前記受信部によって選局された番組を記録媒体に記録すると共に再生する記録再生部と、
前記記録再生部によって再生されている番組と同一時間帯に放送された番組であって新たに指定されたチャンネルの番組を前記記録媒体から選択して再生すると共に、前記記録媒体に前記同一時間帯に放送された番組が存在しない場合にはダミー画像を再生し、前記ダミー画像の再生中に次のチャンネル指定が発生すると、前記ダミー画像の再生前に再生されていた番組の放送時間帯と同一時間帯に放送された番組であって指定されたチャンネルの番組を前記記録媒体から選択して再生するザッピング再生制御部と
を具備するデジタル放送受信装置。
【請求項２】
前記記録再生部によって記録された番組に関するデータベースを作成する番組データベース処理部を具備し、
前記ザッピング再生制御部は、前記データベースを参照することで、ザッピング再生を可能にする
請求項１に記載のデジタル放送受信装置。
【請求項３】
前記ダミー画像は、前記同一時間帯に指定されたチャンネルの番組が前記記録媒体に記録されていないことを示すメッセージ表示を含む
請求項１又は２に記載のデジタル放送受信装置。
【請求項４】
前記ザッピング再生制御部は、再生中の番組の放送時刻と再生時間及び前記ダミー画像の再生前に再生されていた番組の放送時刻と前記ダミー画像の再生時間とに基づいて、前記同一時間帯のうちのいずれの時刻に放送されていた番組を再生するかを決定する
請求項１又は２に記載のデジタル放送受信装置。
【請求項５】
デジタル放送から複数のチャンネルの番組を同時に選局する受信部と、
前記受信部によって選局された番組を記録媒体に記録すると共に再生する記録再生部と、
前記記録再生部によって記録された番組に関するデータベースを作成する番組データベース処理部と、
前記記録再生部による前記番組の再生中にチャンネル切換えが発生すると、前記データベースを参照して、前記記録再生部によって再生されている番組と同一時間帯に放送された他のチャンネルの番組であって前記記録媒体に記録されている番組を前記記録媒体から選択して再生するザッピング再生制御部と
を具備するデジタル放送受信装置。
【発明の詳細な説明】
【技術分野】
【０００１】
本発明の実施形態は、複数の番組を同時に受信可能なデジタル放送受信装置に関する。
【背景技術】
【０００２】
従来、地上デジタル放送、ＢＳ／ＣＳデジタル放送が運用され、多くの番組が高画質、高音質で視聴できる環境が整っている。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索だけでなく、視聴する番組を指定する選局操作や選局予約操作等が可能である。
【０００３】
しかし、一般的には、手軽に選局することができるという理由から、番組表を用いることなく、選局チャンネルを適宜変更して各番組を確認し、これによって所望のチャンネルを選択するという手法、所謂ザッピングと呼ばれる手法を用いることが多い。
【０００４】
ところで、近年、複数チャンネルの番組を同時録画する同時録画機能を搭載したデジタルテレビジョンが普及してきている。このような同時録画機能を搭載した従来のデジタル放送受信装置においては、放送番組の番組表（未来番組表）と同様の表示方法によって、録画した過去の番組を表示する過去番組表を生成する機能を有しているものもある。この過去番組表を表示させて、過去番組表中の任意の番組を選択する操作によって、記録された番組を再生して視聴することも可能である。
【０００５】
同時録画記録では、複数チャンネルの番組が同一時間帯に記録されており、既に記録された番組についても、過去番組表を表示させて視聴する番組を決定するのではなく、ザッピングと同様の操作によって順次番組を選択しながら表示させることができれば、便利である。そこで、記録媒体に記録された番組コンテンツに関する情報を利用し、記録された各番組についても、選択された放送時間帯に近い時間帯の各番組を例えばチャンネル切換えによって順次選択することで、あたかもリアルタイムに放送されている番組を見るかのように他チャンネルの番組を見るザッピング再生が可能である。
【０００６】
しかしながら、必ずしも同一時間帯で全てのチャンネルの番組が記録されているとは限らない。選択した時間帯について番組が記録されていない場合でもザッピングによる選局を継続させるために、チャンネル切換えによってそれまで選択していた時間帯の番組とは異なる時間帯の番組が選択されてしまうことが考えられる。そうすると、以後、チャンネル切換によって、当初指定していた時間帯とはずれた時間帯の番組が順次選択されて表示されるようになってしまうという問題があった。
【先行技術文献】
【特許文献】
【０００７】
【特許文献１】特許第４１５３６３９号
【発明の概要】
【発明が解決しようとする課題】
【０００８】
本発明は、過去番組についてもユーザが希望する時間帯でのザッピング再生を可能にすることができるデジタル放送受信装置を提供することを目的とする。
【課題を解決するための手段】
【０００９】
本発明の実施形態に係るデジタル放送受信装置は、デジタル放送から複数のチャンネルの番組を同時に選局する受信部と、前記受信部によって選局された番組を記録媒体に記録すると共に再生する記録再生部と、前記記録再生部によって再生されている番組と同一時間帯に放送された番組であって新たに指定されたチャンネルの番組を前記記録媒体から選択して再生すると共に、前記記録媒体に前記同一時間帯に放送された番組が存在しない場合にはダミー画像を再生し、前記ダミー画像の再生中に次のチャンネル指定が発生すると、前記ダミー画像の再生前に再生されていた番組の放送時間帯と同一時間帯に放送された番組であって指定されたチャンネルの番組を前記記録媒体から選択して再生するザッピング再生制御部とを具備する。
【図面の簡単な説明】
【００１０】
【図１】本発明の一実施形態に係るデジタル放送受信装置を示すブロック図。
【図２】記録媒体１５に番組が記録されている状態を説明するための説明図。
【図３】図２に対応した過去番組表の一例を示す説明図。
【図４】ザッピング再生における録画番組を説明するための説明図。
【図５】実施の形態におけるザッピング再生の動作フローを示すフローチャート。
【発明を実施するための形態】
【００１１】
以下、図面を参照して本発明の一実施の形態について詳細に説明する。
【００１２】
図１は本発明の一実施の形態に係るデジタル放送受信装置１を示すブロック図である。
【００１３】
デジタル放送受信装置１は複数のチューナ３−１，３−２，…（以下、代表してチューナ３という）を有している。チューナ３は、デジタル放送信号が入力され（図示省略）、入力されたデジタル放送信号の中から所望のチャンネルの放送信号を選局し、選局した信号を各々のデジタル放送の変調方式に対応して復調する。例えば、地上デジタル放送信号はＯＦＤＭ（Orthogonal Frequency Division Multiplexing）復調処理により、衛星デジタル放送の信号はＰＳＫ（Phase Shift Keying）復調処理によって、デジタルの映像信号及び音声信号に復調され、トランスポートストリーム（ＴＳ）形式の復調信号がＴＳ処理部４に出力される。ＴＳ処理部４は、トランスポートストリームから映像ストリームを抽出してバス８に出力する。
【００１４】
また、ＴＳ処理部４は、放送番組の信号から番組情報（ＥＣＭ）を分離する。この分離されたＥＣＭは、ＣＡＳ制御部６を介して、カードスロット（カードインターフェースＩ／Ｆ）に装着されたＣＡＳカード（ＩＣカード）２に転送される。ＣＡＳカード２の中では、記憶されているワーク鍵（Ｋｗ）を用いてＥＣＭの暗号が復号され、スクランブル鍵（Ｋｓ）が得られる。さらに、ＥＣＭから番組に関する属性情報が得られ、ＣＡＳカード２に記憶されている契約情報と比較してデスクランブルを行うか否かが判定される。この判定を行う際に、番組の属性情報で指定される課金方式に基づいて制御が行われる。なお、暗号鍵ＫｓとＫｗは放送事業者毎に異なるが、全受信機で共通な鍵である。例えば、ＣＡＳ制御部６は、ＴＳ処理部４から送られてきたＥＣＭをＣＡＳカード２へ送り、ＣＡＳカード２から応答されたスクランブル鍵Ｋｓを暗号化処理部１２に設定する。
【００１５】
暗号化処理部１２は、設定されたスクランブル鍵Ｋｓを用いて暗号化された放送番組をデスクランブルし、デスクランブルされた放送番組の信号を、バス８を介してＡＶデコード部９及び記録再生制御部１１に出力する。記録再生制御部１１は、放送番組の信号を記録媒体１５に記録すると共に、記録媒体１５に記録されている放送番組の信号を再生してＡＶデコード部９に出力する。
【００１６】
記録媒体１５は、ＨＤＤ、光ディスクディスクドライブ、ＳＤ（登録商標）カードリーダライタ等によって構成することができ、記録再生制御部１１からの放送番組の信号を記録可能に構成されている。なお、記録媒体１５は、デジタル放送受信装置１に対して接続される外部機器であってもよい。この場合、記録再生制御部１１からの出力は、ＩＥＥＥ１３９４インターフェース又はＨＤＭＩ（登録商標）（High-Definition Multimedia Interface）インターフェースなどを介して、記録媒体１５へ転送されることになる。
【００１７】
本実施の形態においては、複数のチューナ３によって複数チャンネルの番組を同時に受信すると共に、記録再生制御部１１によって、受信した複数のチャンネルの番組を同時に記録媒体１５に記録することができるようになっている。
【００１８】
ＡＶデコード部９は、バス８を介して入力された放送番組の信号をＡＶ情報（映像および音声）にデコードして出力する。デコード出力（映像）は、表示処理部１０を介して、図示しない表示部に出力される。表示処理部１０は、ＯＳＤ（On Screen Display）等によりユーザへの情報を提示するための、ＧＵＩ（Graphical User Interface）機能を備える。このＧＵＩ機能により、各種設定画面等を表示部に表示することもできる。
【００１９】
番組データベース処理部５には、ＴＳ処理部４から番組を取得するための各種データや電子番組ガイド（ＥＰＧ）情報，番組属性情報（番組ジャンル等）等が与えられる。番組データベース処理部５は、これら入力された情報に基づいて番組表（未来番組表）を表示するため画像生成処理を行うことができる。
【００２０】
更に、番組データベース処理部５は、記録再生制御部１１によって記録された番組に関するデータベース（以下、番組データベースという）を生成することができるようになっている。番組データベースは、録画した番組を管理する情報であり、番組タイトルや開始時間、終了時間や番組内容等の詳細情報、さらに上記録画の指定条件やユーザから指定情報（番組の自動消去禁止等）の入力項目などの録画番組に関するメタデータを含む。番組データベースは、録画番組の実際の放送時刻と記録媒体上の記録位置との対応関係の情報を含んでいる。
【００２１】
番組データベース処理部５は、番組データベースを元に、記録済番組の番組表（過去番組表）を表示するための画像生成処理を行うこともできるようになっている。番組データベース処理部５は、生成した未来番組表及び過去番組表を表示処理部１０に与えて、表示部の表示画面上に、未来番組表及び過去番組表を表示させることもできるようになっている。
【００２２】
番組データベース処理部５は、番組データベースを記録再生制御部１１を介して記録媒体１５に記録させることができる。番組データベース処理部５は、記録媒体１５に記録されている番組データベースを記録再生制御部１１を介して読出して、読出した番組データベースに基づいて記録再生制御部１１を制御することで、記録媒体１５からユーザが指定した番組を選択して再生させることができるようになっている。
【００２３】
本実施の形態においては、番組データベース処理部５は、ザッピング再生制御部としても機能する。ザッピング再生モードが指定されると、番組データベース処理部５は、番組データベースを参照することで、再生する録画番組が放送された過去の放送時刻を再生開始時刻として記録再生制御部１１に設定し、記録再生制御部１１は過去の放送時刻（再生開始時刻）に対応した記録媒体１５の再生開始位置から番組を再生することができるようになっている。また、番組データベース処理部５は、図示しないタイマーによって再生時間をカウントすると共に、再生開始時刻及び再生時間に基づく時刻（以下、再生指定時刻という）を求め、再生指定時刻を新たな再生開始時刻に設定して、次に選択されたチャンネルで放送されて記録された番組のうち、再生開始時刻において放送された番組を選択して、記録再生制御部１１に選択した番組の再生を指示する。
【００２４】
なお、番組データベース処理部５は、図示しないメモリを用いて、上述したザッピング再生において必要な情報の記憶及び再生指定時刻の算出等の処理を行う。実際に放送された時刻と記録媒体１５上の記録位置との対応表については、番組データベースに保持されるものと説明したが、図示しないメモリにこのようなテーブルを保持するようにしてもよい。こうして、番組データベース処理部５は、ザッピング再生モード時には、再生中の番組と同一時間帯に放送された番組を、ユーザのチャンネル指定操作に応じて順次選択して再生させることが可能である。
【００２５】
本実施の形態においては、番組データベース処理部５は、ユーザによってザッピング再生が指定されたチャンネルにおいて、再生指定時刻に番組が放送されていないか又は再生指定時刻において当該チャンネルの番組が記録されていない場合には、所定のダミー画像を生成して当該ダミー画像をＡＶデコード部９に出力するようになっている。なお、番組データベース処理部５は、ダミー画像の表示時間を再生時間としてカウントし、次のチャンネルの再生指定時刻の決定に用いるようになっている。
【００２６】
リモコン制御部７は、図示しないリモートコントローラからユーザ操作に基づく操作信号を受信し、受信した操作信号に基づいて、デジタル放送受信装置１の各部を制御する。例えば、リモコン制御部７によって、アップ／ダウンキーやワンタッチキー等によって受信チャンネル番号を指定する操作が行われた場合には、各チューナ３は、リモコン制御部７からの操作信号に応じた選局動作を行う。また、リモコン制御部７は、デジタル放送受信装置１の動作モード、例えば、過去番組のザッピング再生モードを設定する操作信号を発生することもできる。このモードでは、ユーザのアップ／ダウンキーやワンタッチキー等によるチャンネル切換え操作に応じて、記録媒体１５に記録されている過去番組を切換えて再生するザッピング再生が行われる。
【００２７】
なお、デジタル放送受信装置１は、ネットワーク処理部１４を介して図示しないネットワーク回線に接続されている。配信／受信処理部１３は、ネットワーク処理部１４を介して、ＴＳ処理部４からの番組や記録再生制御部１１からの再生番組を、ネットワーク回線を介して配信すると共に、ネットワーク回線を介して転送された番組を受信して、ＡＶデコード部９や記録再生制御部１１に供給して受信番組の視聴や記録を行うことができるようになっている。
【００２８】
次に、このように構成された実施の形態の動作について図２乃至図５を参照して説明する。
【００２９】
先ず、複数のチューナ３による複数チャンネルの番組の同時記録について説明する。例えば、いま、図示しないリモートコントローラによって、チャンネル１０１〜１０５に対して自動番組記録が設定されているものとする。チャンネル１０１〜１０５に対して自動番組記録が設定されると、例えば、チューナ３−１，３−２，…３−５によってこれらのチャンネルの番組が選局され、記録再生制御部１１は、ＴＳ処理部４からこれらのチャンネルの番組が与えられて記録媒体１５に記録する。また、この場合には、これらのチャンネルの記録番組に関する番組データベースが番組データベース処理部５によって生成されて、記録媒体１５に記録される。
【００３０】
図２は記録媒体１５の番組の記録状態を説明するための説明図である。
【００３１】
図２は記録媒体１５に記録された番組のうち、１８時から２３時までに記録されたチャンネル１０１〜１０５の番組の記録状態を示している。図２においては、ｘｘ：ｘｘ−ｙｙ：ｙｙの形式の表示は録画時間を示し、録画時間を囲む枠によって、１つの番組が記録されていることを示している。図２に示すように、記録媒体１５には、チャンネル単位で記録番組が管理されている。例えば、チャンネル１０１については、１８時から２３時までの間、１時間毎に異なる５つの番組が記録されていることが分かる。
【００３２】
図２の例では、チャンネル１０１，１０２，１０４については、１８時から２３時までの間、連続して録画が行われたことを示している。一方、チャンネル１０３，１０５については、放送休止等の理由により番組が記録されない時間帯が存在している。チャンネル１０３においては、１８時〜２２時までの間記録が行われておらず、チャンネル１０５においては、２０時〜２２時までの間記録が行われていない。
【００３３】
デジタル放送受信装置１は、上述した自動番組記録により記録された番組を過去番組表により一覧表示することができる。番組データベース処理部５は、記録媒体１５に記録されている番組データベースを読出して、過去番組表を生成する。
【００３４】
図３は図２に対応した過去番組表の一例を示す説明図である。図３の例は、横方向をチャンネル軸とし、縦方向を時間軸として、録画されている番組をチャンネル毎及び時間毎に表示するものであり、枠内に番組の番組名、放送日時、番組のジャンル、出演者や番組内容等の詳細情報を表示することもできる。
【００３５】
図３の例では、斜線部は、録画番組に対応した情報を表示していることを示しており、斜線部が施されていない領域は、番組が録画されていないことを示している。即ち、図３の例では、チャンネル１０３については１８時から２２時まで録画が行われておらず、チャンネル１０５については２０時から２２時まで録画が行われていないことが分かる。
【００３６】
この過去番組表からは指定した番組の再生指示操作が可能である。例えば、リモートコントローラ等によって過去番組表中の特定の番組欄を選択する操作を行うと、番組データベース処理部５によって、この番組を再生するための情報が記録再生制御部１１に与えられ、記録再生制御部１１はユーザによって指定された番組を記録媒体１５から読出してＡＶデコード部９に出力する。こうして、過去番組表を用いて指定した番組が図示しない表示部に再生表示される。
【００３７】
更に、本実施の形態においては、ユーザは例えばリモートコントローラ等によってザッピング再生モードを指定することができ、このモードではリモートコントローラ等によるチャンネル切換え操作によって、同一時間帯の録画番組を順次切換えて再生を行うザッピング再生が行われる。
【００３８】
図４はザッピング再生における録画番組を説明するための説明図であり、図４（ａ）は従来技術におけるザッピング再生時の動作を示し、図４（ｂ）は実施の形態におけるザッピング再生時の動作を示している。
【００３９】
図４は再生される番組をザッピング操作に対応させて時間の経過と共に示すものであり、図４の各枠は表示部を示し、斜線によって表示部の表示画面に番組が表示されていることを示している。また、図４では説明を分かりやすくするために、画面中、右上に番組の放送チャンネルの数字を示し、左下に放送時間（録画時間）を示しているが、実際には表示されていなくてもよい。
【００４０】
図４（ａ）は従来技術におけるザッピング再生において選択再生される番組を示している。図４（ａ）では、最も古い時間において、１９時０５分に放送されていたチャンネル１０１の録画番組が再生表示されていることを示している。従来のザッピング再生モードにおいて、チャンネルを切換える操作を行うと、次に１９時０５分に放送されていたチャンネル１０２の録画番組が再生表示される。
【００４１】
更に、チャンネルを切換える操作を行うと、チャンネル１０３の録画番組が再生表示される。チャンネル１０３は、１９時０５分には番組が放送されておらずこの時間帯のチャンネル１０３の番組の録画は行われていない。このため、チャンネル切換え操作が行われると、指定再生時刻に近い番組が再生されることになり、２０時００分に放送されていたチャンネル１０３の番組が再生表示される。
【００４２】
更に、チャンネルを切換える操作を行うと、２２時００分に放送されていたチャンネル１０４の録画番組が再生表示される。次に、チャンネル１０１を指定したチャンネル切換え操作が行われると、２０時００分に放送されていたチャンネル１０１の番組が再生表示される。
【００４３】
このように、従来のザッピング再生においては、チャンネル切換え前に選択していた番組の放送時間帯において、次に切換えるチャンネルの番組が記録されていない場合には、選択される番組の放送時間帯が変化してしまい、ユーザがチャンネルを決定するためのザッピング処理としては不適当である。
【００４４】
そこで、本実施の形態においては、切換えるチャンネルの番組が記録されていない場合でも、リアルタイムで放送されている番組に対するザッピング処理と同様に、同一時間帯の番組の再生表示を可能にする。
【００４５】
図５は本実施の形態におけるザッピング再生の動作フローを示すフローチャートである。
【００４６】
ユーザはザッピング再生モードで、チャンネル選択操作を行うものとする。リモコン制御部７からの操作信号は番組データベース処理部５に与えられ、番組データベース処理部５は、ユーザ操作に基づく再生開始時刻及びチャンネルの番組を記録媒体１５から読出すように記録再生制御部１１を制御する。記録再生制御部１１は、指定された番組を記録媒体１５から読出して、ＡＶデコード部９に与える。ＡＶデコード部９は再生番組をデコード処理した後、表示処理部１０に与えて図示しない表示部に表示させる。
【００４７】
いま、ユーザ操作に基づいて、図４（ｂ）の最も古い時間に示すように、１９時０５分を再生開始時刻として、この再生開始時刻に放送されていたチャンネル１０１の番組（コンテンツ）をザッピング再生するものとする（ステップＳ１）。番組データベース処理部５は、再生開始時刻をメモリに記憶させ（ステップＳ２）、タイマーによって再生時間を計数する（ステップＳ３）。
【００４８】
番組データベース処理部５は、ステップＳ４においてザッピング再生におけるチャンネル変更操作が発生したか否かを判定する。番組データベース処理部５は、チャンネル変更操作がない場合には、ステップＳ５において再生終了操作の有無を判定し、再生終了操作が合った場合にはザッピング再生を終了する。
【００４９】
再生終了操作の前にチャンネル変更操作があった場合には、番組データベース処理部５は、ユーザ操作に基づいて再生チャンネルを決定し（ステップＳ６）、再生開始時刻を算出する（ステップＳ７）。
【００５０】
例えば、ステップＳ２において記録した再生開始時刻が１９時０５分で、再生時間が１０秒であった場合には、番組データベース処理部５は、ステップＳ７において再生指定時刻が１９時０５分１０秒であるものとし、この時刻を再生開始時刻として、当該再生開始時刻にステップＳ６において決定されたチャンネルで番組（コンテンツ）が放送され記録されているか否かを番組データベースを用いて判定する（ステップＳ８）。
【００５１】
図２の例では、１９時０５分１０秒にチャンネル１０２の番組が記録されているので、ステップＳ６においてチャンネル１０２が指定された場合には、番組データベース処理部５は、処理をステップＳ９に移行して、再生開始時刻から記録媒体１５における再生開始位置を算出して、記録再生制御部１１に当該番組の再生を指示する。こうして、図４（ｂ）に示すように、１９時０５分１０秒に放送されて記録されていたチャンネル１０２の番組が再生表示される。以後、ユーザのチャンネル切換え操作毎に、再生指定時刻に放送されていた番組が記録されているか否かが判定されて（ステップＳ８）、ステップＳ２〜Ｓ９の処理によって、録画番組のザッピング再生が行われる。
【００５２】
いま、再生開始時刻を１９時０５分１０秒としてチャンネル１０２の番組が１０秒間再生された後、ユーザが次のチャンネル１０３を指定するものとする。図２の例では放送時刻が１９時０５分のチャンネル１０３の番組は録画されていないので、番組データベース処理部５は、処理をステップＳ８からステップＳ１１に移行して、ダミー画像を表示部に表示させる。なお、図４の例ではダミー画像として「この番組は録画されていません」というメッセージ表示が表示される。なお、番組データベース処理部５は、ダミー画像として、指定されたチャンネルにおける次の録画時刻の情報を表示するようにしてもよい。例えば、「次番組は１０分後です」等のメッセージ表示が考えられる。
【００５３】
番組データベース処理部５は、ステップＳ１２において、ダミー画像の表示時間を計数した後、ステップＳ１３においてチャンネル変更の有無を判定し、ステップＳ１６において再生終了操作の有無を判定する。
【００５４】
例えば、ダミー画像の表示から１０秒後に、ユーザがチャンネル１０４のザッピング再生を指示するものとする。番組データベース処理部５は、ステップＳ１４において再生チャンネルをチャンネル１０４に設定し、ステップＳ１５において再生開始時刻を算出する。この場合には、番組データベース処理部５は、再生指定時刻が１９時０５分２０秒であるものと算出し、１９時０５分２０秒を再生開始時刻として、処理をステップＳ８に移行する。
【００５５】
図２の例では、１９時０５分２０秒において放送されたチャンネル１０４の番組が記録媒体１５に記録されているので、番組データベース処理部５は、ステップＳ９において、再生開始時刻から記録媒体１５における再生開始位置を算出して、記録再生制御部１１に当該番組の再生を指示する。こうして、図４（ｂ）に示すように、１９時０５分２０秒に放送されて記録されていたチャンネル１０４の番組が再生表示される。以後、同様の処理が繰り返される。
【００５６】
こうして、録画番組に対するザッピング再生を行うと、録画番組の有無に拘わらず、指定した時間帯の番組が順次選択されて再生されることになり、リアルタイムで放送された番組のザッピング処理と同様のチャンネル切換を行うことができる。
【００５７】
このように本実施の形態においては、ザッピング再生時においてユーザのチャンネル操作毎に再生時間をカウントして次に再生する番組の放送時間帯を決定しており、過去番組についてもユーザが希望する時間帯でのザッピング再生を可能にすることができる。こうして、録画コンテンツであって違和感のないザッピング視聴が可能になる。
【００５８】
なお、上記実施の形態においては、ユーザが指定したチャンネルにおいて同一時間帯の番組が記録されていない場合には、ダミー画像を表示するものとして説明したが、同一時間帯の番組が記録されているチャンネルのみを選択するようにすることで、ダミー画像を表示させないザッピング再生を行うことも可能である。例えば、デジタル放送の６チャンネルを連続して記録する機器において、深夜の時間帯では３チャンネルが放送されていない場合には、ザッピング再生モード時のチャンネルアップ／ダウン操作に応じて、録画されている３チャンネルを順次切換えて再生が行われるように構成されていてもよい。
【００５９】
なお、番組データベース処理部５において、番組データベースを生成し、この番組データベースを利用してザッピング再生を制御するものとして説明したが、番組データベースに代えて同様の情報を記述したテーブルを生成して記録し、このテーブルを用いることで、ザッピング再生を制御するようにしてもよい。
【００６０】
また、上記実施の形態においては、番組データベース処理部５が、番組データベースを生成し、この番組データベースを利用してザッピング再生を制御するものとして説明したが、本願のザッピング再生には必ずしも番組データベースは必須ではない。例えば、番組を固定レートでトランスコードすれば、データベースやテーブルを不要にすることができる。
【００６１】
例えば、１，４，６，８，１０，１２チャンネル（計６チャンネル）の番組を全て記録するものとして、以下の条件で記録を行う。
【００６２】
・記録媒体（例えばＨＤＤ）を６均等分したパーティションを作成する。或いは、チャンネル毎に１台のＨＤＤ（記録媒体）を用意してもよい。
【００６３】
・１９時〜０３時の間録画する。
【００６４】
・ＴＳの場合にはチャンネル毎にレートにばらつきがあるので、固定レートにトランスコードし、ＨＤＤの各パティションの頭（または各ＨＤＤの頭）から記録していく。
【００６５】
・放送が終了した場合、記録はしない。
【００６６】
上記のような記録が行われた状態で、ザッピング再生を行うものとする。ザッピング再生において同時刻にジャンプする際、各パーティションや各ＨＤＤにおいてそれぞれ先頭位置を基準に同じ位置に再生位置をジャンプさせて再生すれば、同じ時刻の番組を再生することが可能である。番組を固定レートで記録していることからこのようなザッピング再生が可能となる。もし、ジャンプした先に記録が無ければ、既に放送終了しているということを判断することが可能である。
【００６７】
このような手法を採用した場合において、複数のチャンネルの番組を連続して同時に記録している期間中に、放送停止・再開したチャンネルがあると、記録しない時間が出てくるのでそのチャンネルについては位置（再生する番組の放送時刻）がずれてしまう虞がある。そこで、放送終了後はダミーのデータを同じレートで記録しておくことで、放送終了と判断させることが可能である。
【００６８】
この手法を採用することにより、２３時〜６時に複数のチャンネルの番組を連続して記録するようなときに、一旦放送を停止するチャンネルがあっても、放送開始した後の部分について他チャンネルからザッピング視聴でジャンプしてくることが可能となる。
【００６９】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７０】
４…ＴＳ処理部、５…番組データベース処理部、７…リモコン制御部、９…ＡＶデコード部、１０…表示処理部、１１…記録再生制御部、１５…記録媒体。
【図１】
2015126284.tif 000003
【図２】
2015126284.tif 000004
【図３】
2015126284.tif 000005
【図４】
2015126284.tif 000006
【図５】
2015126284.tif 000007